(57)【要約】  【課題】  計測した情報を基に演算式を組んで新たなエネルギー補助情報を作り上げて自在に表示できるなど、エネルギー使用状況の監視に適したエネルギー監視装置を提供する。  【解決手段】  監視用コンピュータの演算式設定画面に表示される演算式設定テーブル１０のチャンネルＮｏ欄１１のＤ００〜Ｄ０７までは各種検出器によって計測される計測情報の設定に割り当て、チャンネルＮｏ．Ｃ００以降は前記計測情報に基づいて演算されるエネルギー補助情報を設定するのに割り当てる。エネルギー補助情報としては、例えば、電力原単位、電気料金等の計測情報から演算できるものを使用者が自由に設定し、演算式欄１３にその演算式を設定する。そして監視画面には、使用者が希望する計測情報やエネルギー補助情報を自在に表示すればほしい情報を入手できて使いやすいものとなる。【選択図】  図２
2005140675.tif 000002
【特許請求の範囲】
【請求項１】
電力使用量、生産量、設備機器の運転状況などを計測してエネルギーの使用状況を画面表示するエネルギー監視装置であって、計測された情報に基づいて演算可能な各種のエネルギー補助情報と、該エネルギー補助情報を演算するための演算式とを手入力にて設定できる演算式設定テーブルを画面上に表示できるようにすると共に、計測された情報と前記設定されたエネルギー補助情報の任意の情報を監視画面に表示するようにしたことを特徴とするエネルギー監視装置。
【請求項２】
監視画面の情報表示欄には計測された情報や演算式設定テーブルにて設定したエネルギー補助情報の中から任意のものを選択して表示できるようにしたことを特徴とする請求項１記載のエネルギー監視装置。
【請求項３】
電気使用量は、画面表示される演算式設定テーブルの演算式欄に電気使用量と任意の電気単価とを乗算する式を入力設定し、この演算式に基づいて金額換算して監視画面に表示することを特徴とする請求項１または２記載のエネルギー監視装置。
【請求項４】
監視画面にデマンド値の目標電力値と予測電力値とを表示すると共に、予測電力値が目標電力値を超えると警報を発するようにしたことを特徴とする請求項１、２または３記載のエネルギー監視装置。
【請求項５】
監視画面に電力使用量を生産物の生産量で除算した生産物の原単位を表示したことを特徴とする請求項１、２、３または４記載のエネルギー監視装置。
【発明の詳細な説明】
【技術分野】
【０００１】
本発明は、ビル、工場などにおいて使用される電力等のエネルギー使用状況を監視するエネルギー監視装置に関する。
【背景技術】
【０００２】
ビルや工場において移用される電力等のエネルギーを有効に活用することが試みられ、電力使用量をグラフ表示するなどして電力使用量を監視することが行われている（例えば、特開２０００−１９３６９５）。
【特許文献１】特開２０００−１９３６９５号
【発明の開示】
【発明が解決しようとする課題】
【０００３】
しかしながら、従来のエネルギー監視装置では、電力使用量、生産量などの取り込んだ情報及び加工した情報を、画面上の予め決められた情報表示欄に表示するだけであり、操作する者が、例えば、電気料金や燃料料金の単価を任意に変更したり、また計測した情報を基に自ら演算式を組んで新たなエネルギー補助情報を作り上げて自在に表示することができないなどの欠点があった。
【０００４】
本発明は上記の点に鑑み、計測した情報を基に演算式を組んで新たなエネルギー補助情報を作り上げて自在に表示できるなど、エネルギー使用状況の監視に適したエネルギー監視装置を提供することを課題とする。
【課題を解決するための手段】
【０００５】
上記の課題を解決するために、本発明の請求項１記載のエネルギー監視装置にあっては、電力使用量、生産量、設備機器の運転状況などを計測してエネルギーの使用状況を画面表示するエネルギー監視装置であって、計測された情報に基づいて演算可能な各種のエネルギー補助情報と、該エネルギー補助情報を演算するための演算式とを手入力にて設定できる演算式設定テーブルを画面上に表示できるようにすると共に、計測された情報と前記設定されたエネルギー補助情報の任意の情報を監視画面に表示するようにしたことを特徴としている。
【０００６】
また、請求項２記載のエネルギー監視装置にあっては、監視画面の情報表示欄には計測された情報や演算式設定テーブルにて設定したエネルギー補助情報の中から任意のものを選択して表示できるようにしたことを特徴としている。
【０００７】
また、請求項３記載のエネルギー監視装置にあっては、電気使用量は、画面表示される演算式設定テーブルの演算式欄に電気使用量と任意の電気単価とを乗算する式を入力設定し、この演算式に基づいて金額換算して監視画面に表示することを特徴としている。
【０００８】
また、請求項４記載のエネルギー監視装置にあっては、監視画面にデマンド値の目標電力値と予測電力値とを表示すると共に、予測電力値が目標電力値を超えると警報を発するようにしたことを特徴としている。
【０００９】
また、請求項５記載のエネルギー監視装置にあっては、監視画面に電力使用量を生産物の生産量で除算した生産物の電力原単位を表示したことを特徴としている。
【発明の効果】
【００１０】
本発明に係る請求項１記載のエネルギー監視装置によれば、計測された情報に基づいて演算可能な各種のエネルギー補助情報と、該エネルギー補助情報を演算するための演算式とを手入力にて設定できる演算式設定テーブルを画面上に表示できるようにすると共に、計測された情報と前記設定されたエネルギー補助情報の任意の情報を監視画面に表示するようにしたので、計測された情報を基に演算可能なエネルギー補助情報を自由に設定して表示できる融通性があり、使い勝手も良くてエネルギー使用状況の監視に適したものとなる。
【００１１】
本発明に係る請求項２記載のエネルギー監視装置によれば、監視画面の情報表示欄には計測された情報や演算式設定テーブルにて設定したエネルギー補助情報の中から任意のものを選択して表示できるようにしたので、監視画面に表示される情報を自由に変更できて希望するエネルギー情報を監視することができ、エネルギー使用状況の監視に適したものとなる。
【００１２】
本発明に係る請求項３記載のエネルギー監視装置によれば、電気使用量は、画面表示される演算式設定テーブルの演算式欄に電気使用量と任意の電気単価とを乗算する式を入力設定し、この演算式に基づいて金額換算して監視画面に表示するので、電気使用量を直感的に把握できてエネルギー使用状況を理解しやすいものとなる。
【００１３】
本発明に係る請求項４記載のエネルギー監視装置によれば、監視画面にデマンド値の目標電力値と予測電力値とを表示すると共に、予測電力値が目標電力値を超えると警報を発するようにしたので、デマンド監視ができると共に、予測電力値が目標電力値を超える警報によって契約電力をオーバーしないように対処することができる。
【００１４】
本発明に係る請求項５記載のエネルギー監視装置によれば、監視画面に電力使用量を生産物の生産量で除算した生産物の電力原単位を表示したので、生産物の生産単位に対するエネルギー量を把握でき、エネルギーを効率良く使用しているかを把握することができる。
【発明を実施するための最良の形態】
【００１５】
本発明に係る請求項１記載のエネルギー監視装置によれば、電力使用量、生産量、設備機器の運転状況等の計測情報に基づいて演算可能な各種のエネルギー補助情報と、該エネルギー補助情報を演算するための演算式とを手入力にて設定する演算式設定テーブルをコンピュータの画面上に表示できるようになっている。そして、この演算式設定テーブルを利用して計測情報から演算可能な適宜のエネルギー補助情報と、エネルギー補助情報の演算式を入力する。
【００１６】
例えば、エネルギー補助情報として電気使用料金を求めたいのであれば、演算式設定テーブルの名称欄に電気使用料金と入力し、演算式欄に電気使用量×電気単価の相当式を入力する。また、電力原単位を求めたいのであれば、演算式設定テーブルの名称欄に電力原単位と入力し、演算式欄には電力使用量÷生産量の相当式を入力し、この関係をコンピュータに記憶させる。これによって、計測情報を取り組む都度に電気使用料金や電力原単位が前記入力した演算式に基づいて演算されてエネルギー補助情報として計測情報と共に記憶されていく。そして、計測情報と演算したエネルギー補助情報の任意の希望する情報を監視画面に逐次表示して監視するのである。
【００１７】
このように、計測情報を基に演算可能なエネルギー補助情報を自由に設定して表示することができ、最初からプログラムされて情報が固定化されているものよりも融通性があり、使用者が知りたい情報を自ら設定して監視することができる。
【００１８】
本発明に係る請求項２記載のエネルギー監視装置によれば、監視画面の情報表示欄をマウスにてクリックすると、演算式設定テーブルにて設定した計測情報やエネルギー補助情報の一覧表が表示され、この中から任意のものを選択すれば情報表示欄に選択された情報が表示されるようになっている。これによって、監視画面に表示できる情報量は限られているものの、情報表示欄に表示される情報を自由に変更して希望する情報を表示すれば、必要とするエネルギー使用状況を見ることができる。
【００１９】
本発明に係る請求項３記載のエネルギー監視装置によれば、画面表示される演算式設定テーブルのエネルギー補助情報を設定する名称欄に電気使用料金と入力し、演算式欄に電気使用量×電気単価の相当式を設定して金額換算できるようにし、これを監視画面に表示させる。これによって使用者は個別の電気単価を自由に設定し、電気使用量を直感的に把握できてエネルギー使用状況を理解しやすいものとなる。
【００２０】
本発明に係る請求項４記載のエネルギー監視装置によれば、計測する電力使用量からデマンド値の予測電力値を推定し、監視画面に予測電力とともに目標電力とを表示する。また、予測電力が目標電力を上回る恐れがあれば警報を発する。これによって、デマンド値を常に監視でき、また警報によって契約電力をオーバーしないように対処することができる。
【００２１】
本発明に係る請求項５記載のエネルギー監視装置によれば、画面表示される演算式設定テーブルのエネルギー補助情報を設定する名称欄に電力原単位と入力し、演算式として電気使用量÷生産量の相当式を入力設定し、演算した電力原単位を監視画面に表示させる。これによって、生産物の単位生産量当たりのエネルギー量を把握でき、エネルギーを効率良く使用しているかどうか判断でき、エネルギーの無駄使いの要因を追求できてエネルギーの節減を推進できる。
【実施例１】
【００２２】
以下、本発明の実施例を図面に基づいて説明する。
【００２３】
図１は本発明のエネルギー監視装置１の概略構成であって、アスファルト合材製造工場に設置した例を示している。エネルギー監視装置１は、計測した情報を収集するデータ収集装置２と、監視用コンピュータ３、及びデータ収集装置２にて収集した情報を監視用コンピュータ３に取り込むための変換器４とを備えている。エネルギー監視装置１にて監視するエネルギー情報としては、例えば、電気使用量、生産量、燃料使用量、稼働時間等があり、これら情報を検出又は出力するための電力パルス検出器５、操作盤内の生産量パルス出力器６、燃油流量発信器７、燃油ポンプのマグネットコイルのＡ接点８等がデータ収集装置２に接続されており、該データ収集装置２よって各種情報を、例えば約１０秒毎に収集して監視用コンピュータ３に送信している。
【００２４】
図２は、監視用コンピュータ３のディスプレイ９に表示した演算式設定画面の一例を示したものであり、計測情報とエネルギー補助情報とを設定するための演算式設定テーブル１０が表示される。図２において、チャンネルＮｏ欄１１のＤ００〜Ｄ０７までは各種検出器が接続されるデータ収集装置２の入力チャンネルを割り当てたものであって、デジタルとアナログの計８点の計測情報を取り込めるようになっている。チャンネルＮｏ．Ｃ００以降は前記Ｄ００〜Ｄ０７の計測情報を基づいて使用者が自由に設定できるエネルギー補助情報の欄である。そして、チャンネルＮｏ欄１１のＤ００〜Ｄ０７の名称欄１２には計測情報の名称を入力すると共に、チャンネルＮｏ欄１１のＣ００以降の名称欄１２にはＤ００〜Ｄ０７もしくはＣ００以降の情報を基に演算して求められるエネルギー補助情報の名称、例えば、電力原単位や電気料金、燃料費等を入力設定し、演算式欄１３にその演算式を設定する。
【００２５】
例えば、電気料金の演算式欄１３には電気使用量×電気単価に相当する数式であるＣ５＊１５（Ｃ５：電気使用量のセルの番地、１５：電気単価１５円／ｋｗｈ）を入力する。入力された演算式は図の式欄１４に表示されることとなる。また、電力原単位の演算式欄１３には電気使用量／総生産量に相当する式であるＣ５／Ｃ０（Ｃ５：電気使用量のセルの番地，Ｃ０：総生産量のセルの番地）が入力されている。同様にしてチャンネルＮｏ欄１１のＣ００以降の名称欄１２にエネルギー補助情報を適宜入力すると共に、演算式欄１３にはその演算式を入力していく。また、単位欄１５にその単位を入力するなどし、登録ボタン１６をクリックすると演算式設定テーブル１０にて設定した内容が記憶される。
【００２６】
そして、監視用コンピュータ３では電力パルス検出器５、操作盤内の製造量パルス出力器６、燃油流量発信器７、燃油ポンプのマグネットコイルのＡ接点８等から取り込んだ計測情報をチャンネルＮｏと関連づけながら逐次記憶していくと共に、日内実績、日実績、月実績、年実績が管理できるように３０分間単位、一日単位、月単位、年単位で累積して記憶するなど計測情報を適宜の形態で保存していく。また、演算式設定テーブル１０にて設定した電気料金、電力原単位、燃料費等のエネルギー補助情報も計測情報から演算して逐次記憶するか、また情報表示時に瞬時に演算して表示するようになっている。
【００２７】
図３は、監視用コンピュータ３のメインの監視画面の表示例であって、図２の演算式設定テーブル１０にて設定された計測情報やエネルギー補助情報の中の任意のものを表示させている。例えば、電気使用量、燃料使用量を直感的に把握できるように、電気料金欄１７、燃料費欄１８に一日の使用金額を表示している。また、稼働状況欄１９には、一日の総生産量、電気使用量、リサイクル材生産量（Ｒ生産量）、燃料使用量、バージンドライヤの稼働時間（Ｖ稼働時間）、リサイクルドライヤの稼働時間（Ｒ稼働時間）の情報を表示している。またデマンド監視欄２０には、目標電力値、計測値から予測した予測電力値、３０分計測の残時間、一日の最大デマンド値を表示しており、予測電力が目標電力を上回る恐れがあれば警報を発する。更に、稼働トレンド欄２１に電力原単位の一日の推移グラフと現在の値、燃料原単位の一日の推移グラフと現在の値を表示している。
【００２８】
図３の監視画面の稼働状況欄１９及び稼働トレンド欄２１は、図２の演算式設定テーブル１０の名称欄１２にて設定した計測情報またはエネルギー補助情報の中から任意に選択して表示可能となっている。例えば、総生産量のボタンをクリックすると、図４に示すように入力信号一覧表２２が表示される。この入力信号一覧表２２には演算式設定テーブル１０にて設定した計測情報やエネルギー補助情報が表示されてどれか一つを選択することができ、例えば、総生産量をクリックすると図示するような入力信号設定画面２３が表示され、確認後にＯＫボタンをクリックすると総生産量が設定される。
【００２９】
また、図３中の他の電気使用量、Ｒ生産量、燃料使用量、Ｖ稼働時間、Ｒ稼働時間、電力原単位、燃料原単位の各ボタンをクリックすると、同様の入力信号一覧表が表示され、他の情報に変更が可能となっており、また稼働トレンド欄２１では数値と共に一日の推移グラフが表示される。
【００３０】
なお、その他の裏画面としては、各エネルギー情報毎の日内実績、日実績、月実績、年実績などの数値やグラフを表示したり、またデマンド監視においては目標電力と予想電力を推移グラフにて表示するなど、エネルギー監視のしやすいものとすると良い。
【図面の簡単な説明】
【００３１】
【図１】本発明に係るエネルギー監視装置の概略説明図である。
【図２】本発明に係るエネルギー監視装置の監視用コンピュータのディスプレイに表示した演算式設定画面である。
【図３】本発明に係るエネルギー監視装置の監視用コンピュータのディスプレイに表示した監視画面である。
【図４】図３の監視画面の稼働状況欄の操作ボタンをクリックしたときの状態を表す画面である。
【符号の説明】
【００３２】
１…エネルギー監視装置      ２…データ収集装置
３…監視用コンピュータ      ４…変換器
５…電力パルス検出器        ６…操作盤内の生産量パルス出力器
７…燃油流量発信器          ８…燃油ポンプのマグネットコイルのＡ接点
９…ディスプレイ          １０…演算式設定テーブル
【図１】
2005140675.tif 000003
【図２】
2005140675.tif 000004
【図３】
2005140675.tif 000005
【図４】
2005140675.tif 000006